(57)【特許請求の範囲】
【請求項１】
樹脂ケース上と樹脂ケース下の間に収納された基板上に取付け高さを略等しく配置された数字表示用の７セグＬＥＤおよび点灯表示用のＬＥＤを有し、前記樹脂ケース上に設けた１つの開口部より点灯表示を行う給湯機のリモコン装置であって、前記開口部は、前記数字表示用の７セグＬＥＤおよび点灯表示用のＬＥＤよりなる点灯表示部の配置領域より大きめに開口すると共に透明板で塞ぎ、前記透明板と点灯表示部の間に前記７セグＬＥＤ及び点灯表示用のＬＥＤと対向する面を除いて黒塗装を施した半透明シートを介在させ点灯の有無を明確にした給湯機のリモコン装置。
【請求項２】
樹脂ケース上と樹脂ケース下の間に収納された基板上に取付け高さを略等しく配置された数字表示用の７セグＬＥＤおよび点灯表示用のＬＥＤを有し、前記樹脂ケース上に設けた１つの開口部より点灯表示を行う給湯機のリモコン装置であって、前記開口部は、前記数字表示用の７セグＬＥＤおよび点灯表示用のＬＥＤよりなる点灯表示部の配置領域より大きめに開口すると共に透明板で塞ぎ、前記透明板と点灯表示部の間に前記７セグＬＥＤ及び点灯表示用のＬＥＤと対向する面を除いて黒塗装を施した別シートを接着した半透明シートを介在させ点灯の有無を明確にした給湯機のリモコン装置。
【請求項３】
樹脂ケース上と樹脂ケース下の間に収納された基板上に取付け高さを略等しく配置された数字表示用の７セグＬＥＤおよび点灯表示用のＬＥＤを有し、前記樹脂ケース上に設けた１つの開口部より点灯表示を行う給湯機のリモコン装置であって、前記開口部は、前記数字表示用の７セグＬＥＤおよび点灯表示用のＬＥＤよりなる点灯表示部の配置領域より大きめに開口すると共に透明板で塞ぎ、前記透明板と点灯表示部の間に前記７セグＬＥＤ及び点灯表示用のＬＥＤと対向する面を除いて黒色シートを接着した半透明シートを介在させ点灯の有無を明確にした給湯機のリモコン装置。
【発明の詳細な説明】
【０００１】
【発明の属する技術分野】
本発明はガス、石油などを燃焼させることにより得られる温水を利用する給湯機のリモコン装置に関するものである。
【０００２】
【従来の技術】
従来の給湯機のリモコン装置は、例えば図５に示すように、樹脂ケース上１と樹脂ケース下２内に収納された基板３上に一個の数字表示用の７セグＬＥＤ４と点灯表示する表示用ＬＥＤ５が配置され、またこの７セグＬＥＤ４に対応する樹脂ケース上１に小さな開口部６が設けられ、またこの７セグＬＥＤ４一個だけを覆う半透明シート７が配設されていた。
【０００３】
半透明シート７の片面には接着剤（図示していない）がついており、７セグＬＥＤ４の上に半透明シート７が接着してある。樹脂ケース上１に設けられた小さな開口部６は、透明板８により塞がれ、片面に接着剤付きのポリエステルフィルム９により透明板８と樹脂ケース上１が固定される。また、樹脂ケース上１と基板３は小型ビス１０で基板３側から固定され、樹脂ケース上１等と樹脂ケース下２とは樹脂ケース上１側からビス１１で固定されていた。
【０００４】
【発明が解決しようとする課題】
しかしながら上記従来構成での半透明シート７は、７セグＬＥＤ４の点灯有無を明瞭化するためのものであり、表示する情報量への要望が増え基板３上に複数のＬＥＤ４、５を配置すると、樹脂ケース上１表面の開口部６が乱立し外観性の悪いリモコン装置になっていた。
【０００５】
また、複数の７セグＬＥＤ４をまとめ開口部６を一ヵ所にすると半透明シート７を配置しても、開口部６が大きくなるため光が入り込み易く、７セグＬＥＤ４以外の基板３上の多くの電子部品が開口部６を通し見えてしまうという課題があった。
【０００６】
本発明は上記課題を解決するもので、多くの７セグＬＥＤを配置し、開口部を大きくしても必要表示だけがはっきり確認できる給湯機用リモコン装置を得ることを目的としたものである。
【０００７】
【課題を解決するための手段】
本発明は上記目的を達成するため、樹脂ケース上と樹脂ケース下の間に収納された基板上に取付け高さを略等しく配置された数字表示用の７セグＬＥＤおよび点灯表示用のＬＥＤを有し、前記樹脂ケース上に設けた１つの開口部より点灯表示を行う給湯機のリモコン装置であって、前記開口部は、前記数字表示用の７セグＬＥＤおよび点灯表示用のＬＥＤよりなる点灯表示部の配置領域より大きめに開口すると共に透明板で塞ぎ、前記透明板と点灯表示部の間に前記７セグＬＥＤ及び点灯表示用のＬＥＤと対向する面を除いて黒塗装を施す、または、黒塗装を施した別シートを接着した半透明シートを介在させ点灯の有無を明確にしたものである。
【０００８】
本発明によれば７セグＬＥＤと点灯表示用ＬＥＤの点灯部以外に黒塗装を施したシートと半透明シートを接着したものを樹脂ケース表面に設けられた開口部を封口する透明板と７セグＬＥＤと点灯表示用ＬＥＤの間に設けているので、複数個の７セグＬＥＤや点灯表示用ＬＥＤを一ヵ所の大きな開口部にまとめても光が透過しにくくなるため、７セグＬＥＤ以外の基板上の多くの電子部品が開口部を通して見えなくなる。また、複数のＬＥＤを配置しても樹脂ケース表面の小開口部を乱立させることなく樹脂ケース表面に開口部を大きく設けることができるため外観性および加工性の良いリモコン装置にすることができる。
【０００９】
【発明の実施の形態】
本発明の請求項１に記載の発明は、樹脂ケース上と樹脂ケース下の間に収納された基板上に取付け高さを略等しく配置された数字表示用の７セグＬＥＤおよび点灯表示用のＬＥＤを有し、前記樹脂ケース上に設けた１つの開口部より点灯表示を行う給湯機のリモコン装置であって、前記開口部は、前記数字表示用の７セグＬＥＤおよび点灯表示用のＬＥＤよりなる点灯表示部の配置領域より大きめに開口すると共に透明板で塞ぎ、前記透明板と点灯表示部の間に前記７セグＬＥＤ及び点灯表示用のＬＥＤと対向する面を除いて黒塗装を施した半透明シートを介在させ点灯の有無を明確にしたものである。
【００１０】
半透明シートには点灯部を除いて黒塗装を施したものであり、複数の７セグＬＥＤをまとめ開口部を広く設定しても、７セグＬＥＤ以外の基盤上の多くの電子部品が開口部を通して見えなくなり外観性が良いという作用を有する。
【００１１】
また請求項２に記載の発明は、樹脂ケース上と樹脂ケース下の間に収納された基板上に取付け高さを略等しく配置された数字表示用の７セグＬＥＤおよび点灯表示用のＬＥＤを有し、前記樹脂ケース上に設けた１つの開口部より点灯表示を行う給湯機のリモコン装置であって、前記開口部は、前記数字表示用の７セグＬＥＤおよび点灯表示用のＬＥＤよりなる点灯表示部の配置領域より大きめに開口すると共に透明板で塞ぎ、前記透明板と点灯表示部の間に前記７セグＬＥＤ及び点灯表示用のＬＥＤと対向する面を除いて黒塗装を施した別シートを接着した半透明シートを介在させ点灯の有無を明確にしたものである。
【００１２】
半透明シートには点灯部を除いて黒塗装を施した別シートを半透明シートに接着したものであり、複数の７セグＬＥＤをまとめ開口部を広く設定しても、７セグＬＥＤ以外の基盤上の多くの電子部品が開口部を通して見えなくなり外観性が良いという作用を有する。
【００１３】
請求項３に記載の発明は、樹脂ケース上と樹脂ケース下の間に収納された基板上に取付け高さを略等しく配置された数字表示用の７セグＬＥＤおよび点灯表示用のＬＥＤを有し、前記樹脂ケース上に設けた１つの開口部より点灯表示を行う給湯機のリモコン装置であって、前記開口部は、前記数字表示用の７セグＬＥＤおよび点灯表示用のＬＥＤよりなる点灯表示部の配置領域より大きめに開口すると共に透明板で塞ぎ、前記透明板と点灯表示部の間に前記７セグＬＥＤ及び点灯表示用のＬＥＤと対向する面を除いて黒色シートを接着した半透明シートを介在させ点灯の有無を明確にしたものである。
【００１４】
そして、複数の７セグＬＥＤをまとめ開口部を広く設定しても、７セグＬＥＤ以外の基盤上の多くの電子部品が開口部を通して見えなくなり外観性が良いという作用を有する。
【００１５】
以下、本発明の実施例について、図１から図４を用いて説明する。
（実施例１）
図１は本発明の給湯機のリモコン装置の分解斜視図を示し、図２は実施例１の断面図を示している。図１、図２において、３は基板であり７セグＬＥＤ４や点灯表示用ＬＥＤ５等の点灯表示部品を備えている。７セグＬＥＤ４と点灯表示用ＬＥＤ５は基板３から高さを等しく設けてある。１２は半透明シート７に点灯部を除いて黒塗装１３したシートであり、このシート１２を基板３の点灯表示部の上にのせる。点灯表示部の開口部１４を設けた樹脂ケース上１と基板３は点灯表示部と反対の面から小型ビス１０で固定される。基板３に設けられた７セグＬＥＤ４と点灯表示用ＬＥＤ５は、樹脂ケース上１の開口部１４に収まるように配置されている。シート１２は樹脂ケース上１と基板３の間に設けてある。
【００１６】
樹脂ケース上１の開口部１４は透明板８で塞がれる。透明板８には点灯表示部の情報が何を示しているか解るように基板側から図示していない文字を印刷している。透明板８と樹脂ケース上１を固定するために、接着剤付きのポリエステルフィルム９を樹脂ケース上１と透明板８に張りつける。樹脂ケース下２の上に樹脂ケース上１などをのせ、樹脂ケース上１側からビス１１で固定する。
【００１７】
シート１２は、半透明シート７の基板側の面に、７セグＬＥＤ４や点灯表示用ＬＥＤ５などの点灯部を除いて黒塗装１３したシートであり、半透明シート７に点灯表示部以外の面を黒塗装１３することで、複数のＬＥＤを基板上に配置しても、樹脂ケース上１に点灯用小開口部を乱立させることなく、大きめな開口部１４を一つ設けるだけで点灯表示を満足させることができ、外観性のよいリモコン装置にすることができる。また、樹脂ケース上１に点灯表示用の開口部１４を大きく設けても、黒塗装１３で開口部内部への光の侵入を防ぐため、７セグＬＥＤ４以外の基板上の図示いていない多くの電子部品が開口部を通して見えなくすることが可能となる。
【００１８】
（実施例２）
図３は本発明の実施例２の給湯機のリモコン装置の断面図である。
【００１９】
実施例１と異なる点は、黒塗装１３を黒塗装シート１５にし、黒塗装シート１５を半透明シート７に基板側の面から接着剤１６で接着させたところにある。なお実施例１と同一符号のものは同一構造を有し、説明は省略する。
【００２０】
黒塗装シート１５は、透過性のある別シート１７の基板側の面に、７セグＬＥＤ４や点灯表示用ＬＥＤ５などの点灯部を除いて黒塗装１３したシートであり、半透明シート７の基板側の面に接着剤１６で接着させることで、複数のＬＥＤを基板上に配置しても、樹脂ケース上１に点灯用小開口部を乱立させることなく、大きめな開口部１４を一つ設けるだけで点灯表示を満足させることができ、外観性のよいリモコン装置にすることができる。
【００２１】
また、樹脂ケース上１に点灯表示用の開口部１４を大きく設けても、黒塗装１３で開口部内部への光の侵入を防ぐため、７セグＬＥＤ以外の基板上の図示していない多くの電子部品が開口部を通して見えなくすることが可能となる。
【００２２】
（実施例３）
図４は本発明の実施例３の給湯機のリモコン装置の断面図である。実施例１と異なる点は、半透明シート７をスモークシート１８にするのと、黒塗装１３を黒色シート１９にし、黒色シート１９をスモークシート１８に基板側の面から接着剤１６で接着させたところである。なお実施例１と同一符号のものは同一構造を有し、説明は省略する。
【００２３】
透過性のあるスモークシート１８の基板側の面に、７セグＬＥＤ４や点灯表示用ＬＥＤ５などの点灯部を切り抜いた黒色シート１９を、スモークシート１８の基板側の面に接着剤１６で接着させることで、複数のＬＥＤを基板上に配置しても、樹脂ケース上１に点灯用小開口部を乱立させることなく、大きめな開口部１４を一つ設けるだけで点灯表示を満足させることができ、外観性のよいリモコン装置にすることができる。また、樹脂ケース上１に点灯表示用の開口部１４を大きく設けても、黒色シート１９で開口部内部への光の侵入を防ぐため、７セグＬＥＤ以外の基板上の図示していない多くの電子部品が開口部を通して見えなくすることが可能となる。
【００２４】
【発明の効果】
以上のように本発明によれば、半透明シートの基板側の面に７セグＬＥＤや点灯表示用ＬＥＤなどの点灯部を除いて黒色塗装することで、複数のＬＥＤを基板上に配置しても、樹脂ケース表面に点灯用の小開口部を乱立させることなく、大きめな開口部を一つ設けるだけで点灯表示を満足させることができ、外観性のよいリモコン装置にすることができる。
【００２５】
また、樹脂ケース表面に点灯表示用の開口部を大きく設けても、黒色塗装で開口部内部への光の侵入を防ぐため、７セグＬＥＤ以外の基板上の多くの電子部品が開口部を通して見えなくすることが可能となる。
【図面の簡単な説明】
【図１】本発明の実施例１の給湯機のリモコン装置を示す分解斜視図
【図２】同装置の断面図
【図３】本発明の実施例２の給湯機のリモコン装置を示す断面図
【図４】本発明の実施例３の給湯機のリモコン装置を示す断面図
【図５】従来の給湯機のリモコン装置を示す分解斜視図
【符号の説明】
３  基板
４  ７セグＬＥＤ
５  点灯表示用ＬＥＤ
６、１４  開口部
７  半透明シート
８  透明板
１２  シート
１３  黒塗装
１５  黒塗装シート
１７  別シート
１８  スモークシート
１９  黒色シート
【図１】
0003811994.tif 000002
【図２】
0003811994.tif 000003
【図３】
0003811994.tif 000004
【図４】
0003811994.tif 000005
【図５】
0003811994.tif 000006